(57)【要約】  半導体装置の端子数を増やすことなく、内部の動作モードの設定変更をすることができる半導体装置を提供する。  半導体装置１００ａは、送信回路、受信回路、前記送信回路に接続された送信アンテナ１２１ａ及び前記受信回路に接続された受信アンテナ１２２ａを備える半導体部１２０と、送信アンテナ１２１ａ及び受信アンテナ１２２ａに近接して設けられた導体部１１１ａとを備え、前記送信回路及び前記受信回路の間で近接無線通信を用いる。
2012049821.tif 000002
【特許請求の範囲】
【請求項１】
半導体装置であって、
送信回路、受信回路、前記送信回路に接続された第１アンテナ及び前記受信回路に接続された第２アンテナを備える半導体部と、
前記第１アンテナ及び前記第２アンテナに近接して設けられた導体部とを備え、
前記送信回路及び前記受信回路の間で近接無線通信を用いる
ことを特徴とする半導体装置。
【請求項２】
前記第１アンテナ及び前記第２アンテナは、コイル状の金属配線であり、
前記第１アンテナと前記第２アンテナとは、前記導体部を介して、電磁誘導により結合される
ことを特徴とする請求項１に記載の半導体装置。
【請求項３】
前記導体部を備えるシートが前記半導体部表面に貼設されている
ことを特徴とする請求項２に記載の半導体装置。
【請求項４】
前記半導体部は、回路基板上に設けられ、
前記第１アンテナ及び前記第２アンテナに近接するように、前記導体部が前記回路基板上に設けられている
ことを特徴とする請求項２に記載の半導体装置。
【請求項５】
前記送信回路は、第１電位から第２電位に変化する第１電気信号を前記第１アンテナへ出力し、
前記受信回路は、変化する第２電気信号を検出し、
前記半導体部は、さらに、前記受信回路により検出した前記第２電気信号により、動作モードを切り換えて動作する回路部を備える
ことを特徴とする請求項２に記載の半導体装置。
【請求項６】
送信回路、受信回路、前記送信回路に接続された第１アンテナ及び前記受信回路に接続された第２アンテナを備える半導体部に近接して設けられる信号伝播板であって、
前記第１アンテナ及び前記第２アンテナに近接して設けられた導体部を備え、
前記送信回路及び前記受信回路の間で近接無線通信を用いる
ことを特徴とする信号伝播板。
【発明の詳細な説明】
【技術分野】
【０００１】
本発明は、半導体装置において、近接無線通信を用いて動作モードなどを設定する技術に関する。
【背景技術】
【０００２】
ＬＳＩ（ｌａｒｇｅ  ｓｃａｌｅ  ｉｎｔｅｇｒａｔｅｄ  ｃｉｒｃｕｉｔ）に代表される半導体装置では、状況に応じて内部の動作モードの設定変更が行われる。例えば、出荷前に行われる半導体装置の動作テストにおいて、半導体装置がテストモードに設定される（特許文献１）。また、出荷時に、当該半導体装置が搭載される家電機器等のメモリや入出力デバイスに合わせた動作モードを設定することがある。また、半導体装置が複数種類の家電機器等に対応できるように、家電機器毎に異なる動作モードを設定することもある。【０００３】
このような設定変更は、一般に、半導体装置が有する外部接続端子を介して行われる。例えば、半導体装置は、テストモード設定用の専用端子を有しており、半導体装置をテストモードにするには、この専用端子をＨ（ｈｉｇｈ）レベル電圧又はＬ（ｌｏｗ）レベル電圧にする。こうして、半導体装置にテストモードが設定される。
【先行技術文献】
【特許文献】
【０００４】
【特許文献１】特開２００７−１７１０６０号公報
【特許文献２】特許第４１３１５４４号特許公報
【発明の概要】
【発明が解決しようとする課題】
【０００５】
近年、半導体装置の機能は増加しており、それに伴って必要な端子の数が増加している。一方、半導体プロセスの微細化に伴い、パッケージサイズが縮小しており、半導体装置に設けることができる端子の数は、減少傾向にある。従って、モード設定のために、専用端子を設けることが難しくなってきているという問題がある。【０００６】
本発明は、上記問題点を解決するために、半導体装置の端子数を増やすことなく、内部の動作モードの設定変更をすることができる半導体装置を提供することを目的とする。
【課題を解決するための手段】
【０００７】
上記目的を達成するため、本発明は、半導体装置であって、送信回路、受信回路、前記送信回路に接続された第１アンテナ及び前記受信回路に接続された第２アンテナを備える半導体部と、前記第１アンテナ及び前記第２アンテナに近接して設けられた導体部とを備え、前記送信回路及び前記受信回路の間で近接無線通信を用いることを特徴とする。
【発明の効果】
【０００８】
この構成によると、半導体装置の端子数を増やすことなく、内部の動作モードの設定変更をすることができるという優れた効果を奏する。
【図面の簡単な説明】
【０００９】
【図１】実施の形態１における半導体装置１００ａの外観斜視図である。
【図２】半導体装置１００ａの分解図である。
【図３】半導体装置１００ａの断面図である。
【図４】半導体装置１００ａの半導体部１２０の構成を示すブロック図である。
【図５】伝播部１０１ａ上の導体部１１１ａ、１１１ｂ、１１１ｃの配置と、半導体部１２０の送信アンテナ部及び受信アンテナ部の接続との関係を示す。
【図６】伝播部１０１ｂ上の導体部１１１ｄ、１１１ｅの配置と、半導体部１２０の送信アンテナ部及び受信アンテナ部の接続との関係を示す。
【図７】伝播部１０１ｃ上の導体部１１１ｆ、１１１ｇの配置と、半導体部１２０の送信アンテナ部及び受信アンテナ部の接続との関係を示す。
【図８】伝播部１０１ａ上の導体部の配置と、回路基板１０ａに搭載された他のデバイスとの関係を示す。
【図９】伝播部１０１ｂ上の導体部の配置と、回路基板１０ｂに搭載された他のデバイスとの関係を示す。
【図１０】伝播部１０１ｃ上の導体部の配置と、回路基板１０ｃに搭載された他のデバイスとの関係を示す。
【図１１】実施の形態２における半導体装置１００ｄの分解図である。
【図１２】半導体装置１００ｄの断面図である。
【図１３】変形例としての半導体装置の半導体部の構成を示すブロック図である。
【発明を実施するための形態】
【００１０】
１．実施の形態１
本発明に係る一の実施の形態としての半導体装置１００ａについて説明する。
【００１１】
１．１  半導体装置１００ａ
半導体装置１００ａは、図１に示すように、図示していない他の電子部品とともに、回路基板１０ａ上に搭載され、図２に示すように、シート状の伝播部１０１ａ、半導体部１２０及びパッケージ部１５０から構成されている。伝播部１０１ａは、半導体部１２０の上面に、貼設され、パッケージ部１５０は、半導体部１２０の保護のために、その周囲を囲むように設けられている。
【００１２】
図２及び図３に示すように、半導体部１２０の上面において、上面の四辺に沿って、複数のボンディングパッド（電極）１５１、・・・が、ロの字状に、配されている。複数のボンディングパッド１５１、・・・それぞれは、ボンディングワイヤ１５３、・・・により、複数のリード１５２、・・・に接続されている。各リード１５２は、パッケージ部１５０の上面に沿って、さらに、上面の端部で外周側面に沿うように、下方に折り曲げられて設けられている。これらの複数のリード１５２、・・・は、半導体部１２０と回路基板１０ａとを接続する。
【００１３】
図２及び図３に示すように、半導体部１２０の上面において、複数のボンディングパッド１５１、・・・が形成するロの字の内側に、行列状に、送信アンテナ１２１ａ、１２１ｂ、１２１ｃ、受信アンテナ１２２ａ、１２２ｂ、１２２ｃ、送信アンテナ１２１ｄ、１２１ｅ、１２１ｆのそれぞれの上部が半導体部１２０の上面から露出する態様で、送信アンテナ１２１ａ、１２１ｂ、１２１ｃ、受信アンテナ１２２ａ、１２２ｂ、１２２ｃ、送信アンテナ１２１ｄ、１２１ｅ、１２１ｆが半導体部１２０の内部に形成されている。
【００１４】
なお、図３に示す断面図において、半導体部１２０の内部に形成された送信アンテナ１２１ａ、１２１ｄ及び受信アンテナ１２２ａのみを示し、半導体部１２０の内部のその他の構成要素については、表示を省略している。
【００１５】
１．２  伝播部１０１ａ
伝播部１０１ａは、図２及び図３に示すように、例えば、セロファンシールを材料とするシート状（板状）の信号伝播板であり、アクリル系の接着剤などで、半導体部１２０の上面において、複数のボンディングパッド１５１、・・・が形成するロの字の形状の内側に、接着されている。伝播部１０１ａの上面には、導体部１１１ａ、１１１ｂ、１１１ｃが設けられている。導体部１１１ａ、１１１ｂ、１１１ｃは、例えば、Ｃｕ等を材料とし、帯形状を有する箔状の導体である。
【００１６】
半導体部１２０の上面に伝播部１０１ａを張り付ける際、導体部１１１ａの端部１１１ａｘが、送信アンテナ１２１ａに近接し、導体部１１１ａの他の端部１１１ａｙが、受信アンテナ１２２ａに近接するように、また、導体部１１１ｂの端部１１１ｂｘが、送信アンテナ１２１ｂに近接し、導体部１１１ｂの他の端部１１１ｂｙが、受信アンテナ１２２ｂに近接するように、さらに、導体部１１１ｃの端部１１１ｃｘが、受信アンテナ１２２ｃに近接し、導体部１１１ｃの他の端部１１１ｃｙが、送信アンテナ１２１ｆに近接するように、伝播部１０１ａの上面に、導体部１１１ａ、１１１ｂ、１１１ｃが接着されている。
【００１７】
各導体部の下面と、半導体部１２０の上面との距離は、１ｍｍ以下である。
【００１８】
半導体部１２０の上面に、伝播部１０１ａを張り付ける場合、伝播部１０１ａ上の導体部の配置の方法については、制限はなく、どのように配置してもよい。ただし、各導体部の直下には、送信アンテナ及び受信アンテナの両方が存在しないと、半導体部１２０の送信アンテナから受信アンテナに向けて、データを送信することができない。
【００１９】
また、一つの導体部の直下に存在させることができる送信アンテナの数は、一つだけである。これは、二つ以上の送信アンテナからの電気信号が導体部を流れると、電気信号が衝突して正常な通信ができないためである。これに対して、導体部の直下に存在させることができる受信アンテナの数には、論理的な制限はない。導体部の直下に、二つ以上の受信アンテナを設けてもよい。二つ以上の受信アンテナが一つの導体部の直下にある場合、送信アンテナから送信される一つの電気信号に対して、二つ以上の受信アンテナが対応する電気信号を受信できる。
【００２０】
伝播部１０１ａのその他の例を図６及び図７に示す。
【００２１】
図６に示す伝播部１０１ｂは、伝播部１０１ａとは、その上に配置される導体部の数、形状及び配置位置のみが異なる。伝播部１０１ｂの上面には、導体部１１１ｄ及び１１１ｅが設けられている。導体部１１１ｄ及び１１１ｅは、導体部１１１ａ等と同様に、例えば、Ｃｕ等を材料とし、帯形状を有する箔状の導体である。導体部１１１ｄは、帯が途中で折れ曲がった形状を有し、導体部１１１ｅの形状は、導体部１１１ａ等と同様に、長方形である。
【００２２】
半導体部１２０の上面に伝播部１０１ｂを張り付ける際、導体部１１１ｄの端部１１１ｄｘが、送信アンテナ１２１ａに近接し、導体部１１１ｄの中央部１１１ｄｙ（途中で折れ曲がる部分）が、受信アンテナ１２２ｂに近接し、導体部１１１ｄの他の端部１１１ｄｚが、受信アンテナ１２２ｃに近接するように、また、導体部１１１ｅの端部１１１ｅｘが、受信アンテナ１２２ａに近接し、導体部１１１ｅの他の端部１１１ｅｙが、送信アンテナ１２１ｆに近接するように、伝播部１０１ｂの上面に、導体部１１１ｄ及び１１１ｅが接着されている。
【００２３】
図７に示す伝播部１０１ｃは、伝播部１０１ａとは、その上に配置される導体部の数、形状及び配置位置のみが異なる。伝播部１０１ｃの上面には、導体部１１１ｆ及び１１１ｇが設けられている。導体部１１１ｆ及び１１１ｇは、導体部１１１ａ等と同様に、例えば、Ｃｕ等を材料とし、帯形状を有する箔状の導体である。
【００２４】
半導体部１２０の上面に伝播部１０１ｃを張り付ける際、導体部１１１ｆの端部１１１ｆｘが、送信アンテナ１２１ｂに近接し、導体部１１１ｆの他の端部１１１ｆｙが、受信
アンテナ１２２ａに近接するように、また、導体部１１１ｇの端部１１１ｇｘが、受信アンテナ１２２ｂに近接し、導体部１１１ｇの他の端部１１１ｇｙが、送信アンテナ１２１ｆに近接するように、伝播部１０１ｃの上面に、導体部１１１ｆ及び１１１ｇが接着されている。
【００２５】
１．３  半導体部１２０
半導体部１２０は、図４に示すように、送信アンテナ１２１ａ、１２１ｂ、１２１ｃ、１２１ｄ、１２１ｅ、１２１ｆ、送信部１２３ａ、１２３ｂ、１２３ｃ、１２３ｄ、１２３ｅ、１２３ｆ、生成部１２５ａ、１２５ｂ、１２５ｃ、１２５ｄ、１２５ｅ、１２５ｆ、受信アンテナ１２２ａ、１２２ｂ、１２２ｃ、受信部１２４ａ、１２４ｂ、１２４ｃ、第一記憶部１２６、第二記憶部１２７、第三記憶部１２８、入出力部１３０及び論理部１３１から構成され、これらの構成要素は、半導体のプロセス技術を利用して、半導体部１２０の内部に形成されている。
【００２６】
（１）送信アンテナ及び受信アンテナ
送信アンテナ１２１ａは、半導体のプロセス技術の多層配線を利用して半導体部１２０の内部に形成された１回巻き以上のコイル（インダクタ）状の金属配線である。送信アンテナ１２１ａは、磁界が半導体部１２０の上面に直交する方向を向くように、また、図３に示すように、コイルの上部が半導体部１２０の上面から露出するように、半導体部１２０の内部の上面近くに、形成されている。送信アンテナ１２１ｂ、１２１ｃ、１２１ｄ、１２１ｅ、１２１ｆ及び受信アンテナ１２２ａ、１２２ｂ、１２２ｃについても、送信アンテナ１２１ａと同様に形成されている。
【００２７】
各送信アンテナは、伝播部１０１ａ上に設けられた導体部を介して、他の受信アンテナと、誘導結合することにより、送信アンテナと受信アンテナとの間でデータの送受信を行う。
【００２８】
また、図２に示すように、半導体部１２０内部において、送信アンテナ１２１ａ、１２１ｂ、１２１ｃ、１２１ｄ、１２１ｅ、１２１ｆ及び受信アンテナ１２２ａ、１２２ｂ、１２２ｃが行列状に配されて形成されている。行列の第１列において、送信アンテナ１２１ａ、１２１ｂ、１２１ｃがこの順序で配され、第２列において、受信アンテナ１２２ａ、１２２ｂ、１２２ｃがこの順序で配され、第３列において、送信アンテナ１２１ｄ、１２１ｅ、１２１ｆがこの順序で配されている。
【００２９】
（２）生成部１２５ａ、１２５ｂ、１２５ｃ、１２５ｄ、１２５ｅ及び１２５ｆ
生成部１２５ａは、送信データを生成する。送信データは、Ｈ（ｈｉｇｈ ｌｅｖｅｌ
）又はＬ（ｌｏｗ ｌｅｖｅｌ）の何れかを示す。生成部１２５ａは、半導体装置１００
ａがリセットされたとき、その後に、一度だけ、生成した送信データを送信部１２３ａへ出力する。つまり、システム起動時に、一度だけ、送信データを出力する。また、同期信号として、図示していないクロック信号生成部からクロック信号を受け取り、受け取ったクロック信号を送信クロック信号として送信部１２３ａへ出力する。
【００３０】
生成部１２５ｂ、１２５ｃ、１２５ｄ、１２５ｅ及び１２５ｆは、それぞれ、生成部１２５ａと同じ構成を有しているので、説明を省略する。なお、生成部１２５ｂ、１２５ｃ、１２５ｄ、１２５ｅ及び１２５ｆは、それぞれ、生成した送信データ及び送信クロック信号を送信部１２３ｂ、１２３ｃ、１２３ｄ、１２３ｅ及び１２３ｆへ出力する。
【００３１】
また、生成部１２５ａ、１２５ｂ、１２５ｃ、１２５ｄ、１２５ｅ及び１２５ｆにより、それぞれ生成される送信データがＨ及びＬのいずれを示すかは、生成部毎に、どちらか一方に定まっている。
【００３２】
なお、生成部１２５ａは、半導体装置１００ａがリセットされたとき、その後に、複数回、送信データを出力してもよい。
【００３３】
また、生成部１２５ａは、半導体装置１００ａがリセットされたその後ではなく、別のタイミングにおいて、半導体部１２０が備えるその他の回路からの指示により、半導体装置１００ａの動作中に、前記送信データを出力してもよい。こうして、半導体装置１００ａの動作中に、動作モードの変更が可能となる。さらに、別のタイミングにより、半導体部１２０が備えるその他の回路からの指示により、半導体装置１００ａの動作中に、前記送信データを出力してもよい。こうして、動作モードが変更された後に、さらに、動作モードの変更が可能となる。
【００３４】
（３）送信部１２３ａ、１２３ｂ、１２３ｃ、１２３ｄ、１２３ｅ及び１２３ｆ
データを無線により送信する場合に、恒常的にＨの状態を保つことは困難であるので、送信部１２３ａは、電気信号が第１のパターンにより変化している状態をＨとして出力し、電気信号が第２のパターンにより変化している状態をＬとして出力する。第１のパターン及び第２のパターンについては、後述する。
【００３５】
送信部１２３ａは、生成部１２５ａから送信データ及び送信クロック信号を受信し、受信した送信クロック信号に同期して、受信した送信データに基づいて変化する電気信号を生成する。
【００３６】
送信データがＨを示す場合には、生成される電気信号は、一例として、第１電位（例えば、０ｖ）から第２電位（例えば、５ｖ）に線型に変化し、さらに、第２電位から第１電位に線型に変化する（第１のパターン）。前記送信データは、第２電位を示す。第１電位から第２電位までの変化に要する時間は、固定長であり、第２電位から第１電位までの変化に要する時間も固定長であり、例えば、１００ｍ秒である。このように、第１のパターンは、三角波である。電気信号の変化の開始時点は、送信クロック信号に同期して定まる。
【００３７】
送信データがＬを示す場合には、生成される電気信号は、一例として、第１電位（例えば、０ｖ）から第３電位（例えば、−５ｖ）に線型に変化し、さらに、第３電位から第１電位に線型に変化する（第２のパターン）。前記送信データは、第３電位を示す。第１電位から第３電位までの変化に要する時間は、固定長であり、第３電位から第１電位までの変化に要する時間も固定長であり、例えば、１００ｍ秒である。このように、第２のパターンは、三角波である。電気信号の変化の開始時点は、送信クロック信号に同期して定まる。
【００３８】
次に、送信部１２３ａは、生成した電気信号を送信アンテナ１２１ａへ出力する。
【００３９】
送信部１２３ｂ、１２３ｃ、１２３ｄ、１２３ｅ及び１２３ｆは、それぞれ、送信部１２３ａと同じ構成を有しており、説明を省略する。なお、送信部１２３ｂ、１２３ｃ、１２３ｄ、１２３ｅ及び１２３ｆは、それぞれ、生成部１２５ｂ、１２５ｃ、１２５ｄ、１２５ｅ及び１２５ｆから送信データ及び送信クロック信号を受信する。
【００４０】
なお、各送信部の一例について、また第１のパターン及び第２のパターンにより変化する電気信号について、特許文献２において説明されている。
【００４１】
（４）受信部１２４ａ、１２４ｂ及び１２４ｃ
受信部１２４ａは、受信した電気信号が第３のパターンにより変化している状態をＨと解釈し、受信した電気信号が第４のパターンにより変化している状態をＬと解釈する。ここで、送信部１２３ａが第１のパターンにより変化する電気信号を送信アンテナ部１２１ａへ出力したとき、送信アンテナ部１２１ａと誘導結合した受信アンテナ部１２２ａから、受信部１２４ａは、第３のパターンにより変化する電気信号を受信する。また、送信部１２３ａが第２のパターンにより変化する電気信号を送信アンテナ部１２１ａへ出力したとき、送信アンテナ部１２１ａと誘導結合した受信アンテナ部１２２ａから、受信部１２
４ａは、第４のパターンにより変化する電気信号を受信する。
【００４２】
受信部１２４ａは、受信アンテナ１２２ａから電気信号を受信し、受信した電気信号が変化しているか否かを判断し、さらに、第３のパターン又は第４のパターンのいずれで変化しているかを判断し、第３のパターンにより変化している場合に、Ｈを受け取ったと解釈し、第一モードとして、Ｈを第一記憶部１２６へ出力する。第４のパターンにより変化している場合に、Ｌを受け取ったと解釈し、第一モードとして、Ｌを第一記憶部１２６へ出力する。
【００４３】
受信部１２４ｂ及び１２４ｃは、受信部１２４ａと同じ構成を有している。
【００４４】
受信部１２４ｂは、Ｈを受け取ったと解釈すると、第二モードとして、Ｈを第二記憶部１２７へ出力する。Ｌを受け取ったと解釈すると、第二モードとして、Ｌを第二記憶部１２７へ出力する。
【００４５】
受信部１２４ｃは、Ｈを受け取ったと解釈すると、第三モードとして、Ｈを第三記憶部１２８へ出力する。Ｌを受け取ったと解釈すると、第三モードとして、Ｌを第三記憶部１２８へ出力する。
【００４６】
なお、各受信部の一例について、また第３のパターン及び第４のパターンにより変化する電気信号について、特許文献２において説明されている。
【００４７】
（５）第一記憶部１２６、第二記憶部１２７及び第三記憶部１２８
第一記憶部１２６は、第一モードを記憶するための領域を備える。第一モードは、Ｈ、Ｌ及びＨｉ−Ｚ（ハイインピーダンス）の何れかを示す値をとる。
【００４８】
また、第二記憶部１２７は、第二モードを記憶するための領域を備える。第二モードは、Ｈ、Ｌ及びＨｉ−Ｚの何れかを示す値をとる。
【００４９】
さらに、第三記憶部１２８は、第三モードを記憶するための領域を備える。第三モードは、Ｈ、Ｌ及びＨｉ−Ｚの何れかを示す値をとる。
【００５０】
（６）入出力部１３０
入出力部１３０は、外部のバス３０ａと、論理部１３１との間で、データの入出力を制御する。また、入出力部１３０は、第一記憶部１２６、第二記憶部１２７及び第三記憶部１２８にそれぞれ記憶されている第一モード、第二モード、第三モードにより、動作モードを変更して動作する。つまり、入出力部１３０は、いずれかの受信部により検出した変化する電気信号により、動作モードを切り換えて動作する回路部である。
【００５１】
（７）論理部１３１
論理部１３１は、例えば、ＭＰＵ（micro processing unit）やＤＳＰ（digital
signal processor）やメモリコントローラであり、または、それらを組み合わせたものである。また、論理部１３１は、入出力部１３０を介して、外部メモリ２０ａなどの回路基板１０ａに搭載された他の電子部品との間で、データの入出力を行う。
【００５２】
１．２  送信アンテナと受信アンテナとの誘導結合及び各モードの設定
（１）伝播部１０１ａの例
図５に、伝播部１０１ａ上の導体部１１１ａ、１１１ｂ、１１１ｃの配置、半導体部１２０の送信アンテナ部と受信アンテナ部との誘導結合、及び第一記憶部１２６、第二記憶部１２７及び第三記憶部１２８に記憶されている第一モード、第二モード及び第三モードの関係を示す。
【００５３】
送信部１２３ａが第１のパターンにより電位が変化する電気信号を送信アンテナ１２１
ａへ出力すると、送信アンテナ１２１ａと受信アンテナ１２２ａとは、導体部１１１ａを介して、電磁誘導により結合する。このため、受信部１２４ａは、受信アンテナ１２２ａから、第３のパターンにより変化する電気信号を受信する。受信部１２４ａが受信した電気信号は、電位が変化しているので、受信部１２４ａが、第３のパターンにより電位の変化する電気信号を検出すると、第一モードとして、Ｈを第一記憶部１２６へ出力する。第一記憶部１２６は、第一モードとして、Ｈを記憶する。図５には、この場合において、信号の伝わる経路２０１を示している。また、この場合の第一モードを示している。
【００５４】
また、送信部１２３ａが第２のパターンにより電位が変化する電気信号を送信アンテナ１２１ａへ出力すると、送信アンテナ１２１ａと受信アンテナ１２２ａとは、導体部１１１ａを介して、誘導結合する。このため、受信部１２４ａは、受信アンテナ１２２ａから、第４のパターンにより変化する電気信号を受信する。受信部１２４ａが受信した電気信号は、電位が変化しているので、受信部１２４ａが、第４のパターンにより電位の変化する電気信号を検出すると、第一モードとして、Ｌを第一記憶部１２６へ出力する。第一記憶部１２６は、第一モードとして、Ｌを記憶する。
【００５５】
一方、送信部１２３ａが電位が変化しない電気信号を送信アンテナ１２１ａへ出力する場合、または、電気信号を送信アンテナ１２１ａへ出力しない場合には、送信アンテナ１２１ａと受信アンテナ１２２ａとが、導体部１１１ａを介して、誘導結合することはない。このため、受信部１２４ａは、受信アンテナ１２２ａから電気信号を受信しない。受信部１２４ａは、電気信号を受信しない場合には、第一モードとして、Ｈｉ−Ｚを第一記憶部１２６へ出力する。第一記憶部１２６は、第一モードとして、Ｈｉ−Ｚを記憶する。
【００５６】
また、上記と同様に、送信アンテナ１２１ｂと受信アンテナ１２２ｂとが、誘導結合する場合と、誘導結合しない場合とがある。このため、第二記憶部１２７は、第二モードとして、Ｈ、Ｌ又はＨｉ−Ｚを記憶する。図５には、送信アンテナ１２１ｂと受信アンテナ１２２ｂとが、誘導結合する場合において、信号の伝わる経路２０２を示している。また、第二記憶部１２７は、第二モードとして、Ｌを記憶する場合を示している。
【００５７】
さらに、上記と同様に、送信アンテナ１２１ｆと受信アンテナ１２２ｃとが、誘導結合する場合と、誘導結合しない場合とがある。このため、第三記憶部１２８は、第三モードとして、Ｈ、Ｌ又はＨｉ−Ｚを記憶する。図５には、送信アンテナ１２１ｆと受信アンテナ１２２ｃとが、誘導結合する場合において、信号の伝わる経路２０３を示している。また、この場合の第三モードを示している。
【００５８】
しかし、送信アンテナ１２１ｃ、１２１ｄ及び１２１ｅの上方には、伝播部１０１ａにおいて、導体部が存在していないので、送信アンテナ１２１ｃ、１２１ｄ及び１２１ｅは、他の受信アンテナと誘導結合することはない。従って、どの受信アンテナも、送信アンテナ１２１ｃ、１２１ｄ及び１２１ｅから、電気信号を受信することはない。
【００５９】
（２）伝播部１０１ｂの例
図６に、伝播部１０１ｂ上の導体部１１１ｄ、１１１ｅの配置、半導体部１２０の送信アンテナ部と受信アンテナ部との誘導結合、及び第一記憶部１２６、第二記憶部１２７及び第三記憶部１２８に記憶される第一モード、第二モード及び第三モードの関係を示す。
【００６０】
送信部１２３ａが第１のパターンにより電位が変化する電気信号を送信アンテナ１２１ａへ出力すると、送信アンテナ１２１ａと受信アンテナ１２２ｂとは、導体部１１１ｄを介して、誘導結合し、送信アンテナ１２１ａと受信アンテナ１２２ｃとは、導体部１１１ｄを介して、誘導結合する。このため、受信部１２４ｂは、受信アンテナ１２２ｂから、第３のパターンにより変化する電気信号を受信し、受信部１２４ｃも、受信アンテナ１２
２ｃから、第３のパターンにより変化する電気信号を受信する。受信部１２４ｂが受信した電気信号は、電位が変化しているので、受信部１２４ｂが、第３のパターンにより電位の変化する電気信号を検出すると、第二モードとして、Ｈを第二記憶部１２７へ出力する。第二記憶部１２７は、第二モードとして、Ｈを記憶する。図６には、この場合において、信号の伝わる経路２０４を示している。また、この場合の第二モードを示している。また、受信部１２４ｃが受信した電気信号は、電位が変化しているので、受信部１２４ｃが、第３のパターンにより電位の変化する電気信号を検出すると、第三モードとして、Ｈを第三記憶部１２８へ出力する。第三記憶部１２８は、第三モードとして、Ｈを記憶する。図６には、この場合において、信号の伝わる経路２０５を示している。また、この場合の第三モードを示している。
【００６１】
また、送信部１２３ａが第２のパターンにより電位が変化する電気信号を送信アンテナ１２１ａへ出力すると、送信アンテナ１２１ａと受信アンテナ１２２ｂとは、導体部１１１ｄを介して、誘導結合し、送信アンテナ１２１ａと受信アンテナ１２２ｃとは、導体部１１１ｄを介して、誘導結合する。このため、受信部１２４ｂは、受信アンテナ１２２ｂから、第４のパターンにより変化する電気信号を受信し、受信部１２４ｃも、受信アンテナ１２２ｃから、第４のパターンにより変化する電気信号を受信する。受信部１２４ｂが受信した電気信号は、電位が変化しているので、受信部１２４ｂが、第４のパターンにより電位の変化する電気信号を検出すると、第二モードとして、Ｌを第二記憶部１２７へ出力する。第二記憶部１２７は、第二モードとして、Ｌを記憶する。また、受信部１２４ｃが受信した電気信号は、電位が変化しているので、受信部１２４ｃが、第４のパターンにより電位の変化する電気信号を検出すると、第三モードとして、Ｌを第三記憶部１２８へ出力する。第三記憶部１２８は、第三モードとして、Ｌを記憶する。
【００６２】
一方、送信部１２３ａが電位が変化しない電気信号を送信アンテナ１２１ａへ出力する場合、または、電気信号を送信アンテナ１２１ａへ出力しない場合には、送信アンテナ１２１ａと受信アンテナ１２２ｂとが、導体部１１１ｄを介して、誘導結合することはないし、送信アンテナ１２１ａと受信アンテナ１２２ｃが、導体部１１１ｄを介して、誘導結合することはない。このため、受信部１２４ｂは、受信アンテナ１２２ｂから電気信号を受信しない。受信部１２４ｂは、電気信号を受信しない場合には、第二モードとして、Ｈｉ−Ｚを第二記憶部１２７へ出力する。第二記憶部１２７は、第二モードとして、Ｈｉ−Ｚを記憶する。また、受信部１２４ｃは、受信アンテナ１２２ｃから電気信号を受信しない。受信部１２４ｃは、電気信号を受信しない場合には、第三モードとして、Ｈｉ−Ｚを第三記憶部１２８へ出力する。第三記憶部１２８は、第三モードとして、Ｈｉ−Ｚを記憶する。
【００６３】
また、上記と同様に、送信アンテナ１２１ｆと受信アンテナ１２２ａとが、誘導結合する場合と、誘導結合しない場合とがある。このため、第一記憶部１２６は、第一モードとして、Ｈ、Ｌ又はＨｉ−Ｚを記憶する。図６には、送信アンテナ１２１ｆと受信アンテナ１２２ａとが、誘導結合する場合において、信号の伝わる経路２０６を示している。また、誘導結合する場合の第一モードを示している。
【００６４】
しかし、送信アンテナ１２１ｂ、１２１ｃ、１２１ｄ及び１２１ｅの上方には、伝播部１０１ｂにおいて、導体部が存在していないので、送信アンテナ１２１ｂ、１２１ｃ、１２１ｄ及び１２１ｅは、他の受信アンテナと誘導結合することはない。従って、どの受信アンテナも、送信アンテナ１２１ｂ、１２１ｃ、１２１ｄ及び１２１ｅから、電気信号を受信することはない。
【００６５】
（３）伝播部１０１ｃの例
図７に、伝播部１０１ｃ上の導体部１１１ｆ、１１１ｇの配置、半導体部１２０の送信
アンテナ部と受信アンテナ部との誘導結合、及び第一記憶部１２６、第二記憶部１２７及び第三記憶部１２８に記憶される第一モード、第二モード及び第三モードの関係を示す。
【００６６】
送信部１２３ｂが第１のパターンにより電位が変化する電気信号を送信アンテナ１２１ｂへ出力すると、送信アンテナ１２１ｂと受信アンテナ１２２ａとは、導体部１１１ｆを介して、誘導結合する。このため、受信部１２４ａは、受信アンテナ１２２ａから、第３のパターンにより変化する電気信号を受信する。受信部１２４ａが受信した電気信号は、電位が変化しているので、受信部１２４ａが、第３のパターンにより電位の変化する電気信号を検出すると、第一モードとして、Ｈを第一記憶部１２６へ出力する。第一記憶部１２６は、第一モードとして、Ｈを記憶する。
【００６７】
また、送信部１２３ｂが第２のパターンにより電位が変化する電気信号を送信アンテナ１２１ｂへ出力すると、送信アンテナ１２１ｂと受信アンテナ１２２ａとは、導体部１１１ｆを介して、誘導結合する。このため、受信部１２４ａは、受信アンテナ１２２ａから、第４のパターンにより変化する電気信号を受信する。受信部１２４ａが受信した電気信号は、電位が変化しているので、受信部１２４ａが、第４のパターンにより電位の変化する電気信号を検出すると、第一モードとして、Ｌを第一記憶部１２６へ出力する。第一記憶部１２６は、第一モードとして、Ｌを記憶する。図７には、この場合において、信号の伝わる経路２０７を示している。
【００６８】
一方、送信部１２３ｂが電位が変化しない電気信号を送信アンテナ１２１ｂへ出力する場合、または、電気信号を送信アンテナ１２１ｂへ出力しない場合には、送信アンテナ１２１ｂと受信アンテナ１２２ａとが、導体部１１１ｆを介して、誘導結合することはない。このため、受信部１２４ａは、受信アンテナ１２２ａから電気信号を受信しない。受信部１２４ａは、電気信号を受信しない場合には、第一モードとして、Ｈｉ−Ｚを第一記憶部１２６へ出力する。第一記憶部１２６は、第一モードとして、Ｈｉ−Ｚを記憶する。
【００６９】
また、上記と同様に、送信アンテナ１２１ｆと受信アンテナ１２２ｂとが、誘導結合する場合と、誘導結合しない場合とがある。このため、第二記憶部１２７は、第二モードとして、Ｈ、Ｌ又はＨｉ−Ｚを記憶する。図７には、送信アンテナ１２１ｆと受信アンテナ１２２ｂとが、誘導結合する場合において、信号の伝わる経路２０８を示している。また、誘導結合する場合の第二モードを示している。
【００７０】
しかし、送信アンテナ１２１ａ、１２１ｃ、１２１ｄ及び１２１ｅの上方には、伝播部１０１ｃにおいて、導体部が存在していないので、送信アンテナ１２１ａ、１２１ｃ、１２１ｄ及び１２１ｅは、他の受信アンテナと誘導結合することはない。従って、どの受信アンテナも、送信アンテナ１２１ａ、１２１ｃ、１２１ｄ及び１２１ｅから、電気信号を受信することはない。
【００７１】
受信アンテナ１２２ｃは、どの送信アンテナとも誘導結合しておらず、Ｈｉ−Ｚの状態になっている。この場合には、図７に示すように、第三モードは、Ｈｉ−Ｚとなる。
【００７２】
１．３  半導体装置の応用例
上記において説明した各伝播部を貼り付けた半導体装置の応用例について、説明する。
【００７３】
伝播部１０１ａを貼り付けた半導体装置１００ａを搭載する回路基板１０ａ、伝播部１０１ｂを貼り付けた半導体装置１００ｂを搭載する回路基板１０ｂ、及び、伝播部１０１ｃを貼り付けた半導体装置１００ｃを搭載する回路基板１０ｃを、それぞれ図８、図９及び図１０に示す。
【００７４】
回路基板１０ａには、半導体装置１００ａ、８ビット幅のバス３０ａ及びＮＯＲフラッ
シュメモリ２０ａが搭載され、回路基板１０ｂには、半導体装置１００ｂ、１６ビット幅のバス３０ｂ及びＮＯＲフラッシュメモリ２０ｂが搭載され、回路基板１０ｃには、半導体装置１００ｃ、ＮＡＮＤバス３０ｃ及びＮＡＮＤフラッシュメモリ２０ｃが搭載されている。なお、各回路基板にはその他の電子部品も搭載されているが、これらを省略している。
【００７５】
ここで、半導体部１２０において、受信アンテナ１２２ａ、１２２ｂ及び１２２ｃにより受信され、それぞれ第一記憶部１２６、第二記憶部１２７及び第三記憶部１２８に記憶される第一モード、第二モード及び第三モードは、上記の回路基板１０ａ、１０ｂ及び１０ｃにおいて、メモリやバスを決定するためのものとする。
【００７６】
第一モードは、起動するメモリの種類を決定するものとする。半導体部１２０は、第一モードが、Ｈならば、ＮＯＲフラッシュメモリが起動するメモリとして接続されているものとして動作し、第一モードが、Ｌならば、ＮＡＮＤフラッシュメモリが起動するメモリとして接続されているとして動作するものとする。
【００７７】
第二モードは、バスを決定するものとする。半導体部１２０は、第二モードが、Ｈならば、１６ビット幅のバスが接続され、Ｌならば、８ビット幅のバスが接続されているとして、動作するものとする。
【００７８】
第三モードは、起動するメモリがＮＯＲフラッシュメモリである場合の動作モードを決定するものとする。半導体部１２０は、第三モードが、Ｈならば、固定ウェイトモード、第三モードが、Ｌならば、応答信号（Ａｃｋｎｏｗｌｅｄｇｅ）を用いたハンドシェークモードで動作するものとする。また、起動するメモリがＮＡＮＤフラッシュメモリの場合、半導体部１２０は、第三モードを参照しないものとする。
【００７９】
半導体部１２０の送信部１２３ｆは、常に、Ｈを出力し、送信部１２３ｂは、常に、Ｌを出力し、送信部１２３ａは、常に、Ｈを出力するものとする。
【００８０】
従って、半導体装置１００ａの第三モードには、Ｈが設定され、第二モードには、Ｌが設定され、第一モードには、Ｈが設定される。
【００８１】
また、半導体装置１００ｂの第三モードには、Ｈが設定され、第二モードには、Ｈが設定され、第一モードには、Ｈが設定される。
【００８２】
さらに、半導体装置１００ｃの第三モードには、Ｈｉ−Ｚが設定され、第二モードには、Ｈが設定され、第一モードには、Ｌが設定される。
【００８３】
上記のように、図８に示す半導体装置１００ａにおいて、第三モードには、Ｈが、第二モードには、Ｌが、第一モードには、Ｈが設定されるので、起動するメモリの種類は、ＮＯＲフラッシュメモリ（第一モード＝Ｈ）となり、回路基板１０ａにおいて、バス幅は、８ビット（第二モード＝Ｌ）となり、ＮＯＲフラッシュメモリのアクセスは、固定ウェイトモード（第三モード＝Ｈ）となる。
【００８４】
また、図９に示す半導体装置１００ｂにおいて、第三モードには、Ｈが、第二モードには、Ｈが、第一モードには、Ｈが設定されるので、回路基板１０ｂにおいて、起動するメモリの種類は、ＮＯＲフラッシュメモリ（第一モード＝Ｈ）となり、バス幅は、１６ビット（第二モード＝Ｈ）となり、ＮＯＲフラッシュメモリのアクセスは、固定ウェイトモード（第三モード＝Ｈ）となる。
【００８５】
また、図１０に示す半導体装置１００ｃにおいて、第二モードには、Ｈが、第一モードには、Ｌが設定されるので、回路基板１０ｃにおいて、起動するメモリの種類は、ＮＡＮ
Ｄフラッシュメモリ（第一モード＝Ｌ）となり、バス幅は、１６ビット（第二モード＝Ｈ）となる。
【００８６】
以上説明したように、本実施の形態の構成によれば、近接無線通信を用いて、専用または兼用の外部端子を必要とすることなく、設定変更可能な半導体装置を構成できる。
【００８７】
２．実施の形態２
本発明に係る別の実施の形態としての半導体装置１００ｄについて説明する。
【００８８】
半導体装置１００ｄは、半導体装置１００ａと類似する構成を有してる。半導体装置１００ｄとの相違点は、以下に詳細に説明するように、導体部が半導体装置１００ｄの下面に設けられた送信アンテナ及び受信アンテナに近接するように設けられていることである。その他の点については、半導体装置１００ａと同一である。
【００８９】
半導体装置１００ｄは、図１１及び図１２に示すように、図示していない他の電子部品とともに、回路基板１０ｄ上に搭載され、伝播部１０１ｄ、半導体部１２０ｄ及びパッケージ部１５０ｄから構成されている。伝播部１０１ｄは、回路基板１０ｄ上に搭載され、パッケージ部１５０ｄは、半導体部１２０ｄの保護のために、その周囲を囲むように設けられている。
【００９０】
半導体部１２０ｄの下面に、行列状に、送信アンテナ１２１ａｄ、１２１ｂｄ、１２１ｃｄ、受信アンテナ１２２ａｄ、１２２ｂｄ、１２２ｃｄ、送信アンテナ１２１ｄｄ、１２１ｅｄ、１２１ｆｄのそれぞれの上部が半導体部１２０の下面から露出する態様で、送信アンテナ１２１ａｄ、１２１ｂｄ、１２１ｃｄ、受信アンテナ１２２ａｄ、１２２ｂｄ、１２２ｃｄ、送信アンテナ１２１ｄｄ、１２１ｅｄ、１２１ｆｄが半導体部１２０ｄの内部に形成されている。
【００９１】
伝播部１０１ｄは、図１１及び図１２に示すように、非導体を材料とし、回路基板１０ｄの上面に接着され、伝播部１０１ｄの上面には、導体部１１１ａｄ、１１１ｂｄ、１１１ｃｄがアクリル系の接着剤などで接着されている。導体部１１１ａｄ、１１１ｂｄ、１１１ｃｄは、導体部１１１ａ、１１１ｂ、１１１ｃと同様に、例えば、Ｃｕ等を材料とし、帯形状を有する箔状の導体である。
【００９２】
回路基板１０ｄの上面に伝播部１０１ｄを張り付け、その上にパッケージ部１５０ｄにより保護のために囲まれた半導体部１２０ｄを搭載する際、導体部１１１ａｄの端部が、送信アンテナ１２１ａｄに近接し、導体部１１１ａｄの他の端部が、受信アンテナ１２２ａｄに近接するように、また、導体部１１１ｂｄの端部が、送信アンテナ１２１ｂｄに近接し、導体部１１１ｂｄの他の端部が、受信アンテナ１２２ｂｄに近接するように、さらに、導体部１１１ｃｄの端部が、受信アンテナ１２２ｃｄに近接し、導体部１１１ｃｄの他の端部が、送信アンテナ１２１ｆｄに近接するように、伝播部１０１ｄの上面に、導体部１１１ａｄ、１１１ｂｄ、１１１ｃｄが接着されている。
【００９３】
各導体部の上面と、半導体部１２０ｄの下面との距離は、１ｍｍ以下である。
【００９４】
以上説明したように、実施の形態１における半導体装置１００ａでは、伝播部１０１ａを半導体部１２０の上面に張り合わせているのに対し、実施の形態２における半導体装置１００ｄでは、伝播部１０１ｄが回路基板１０ｄ上に設けられている。
【００９５】
３．その他の変形例
なお、本発明を上記の実施の形態に基づいて説明してきたが、本発明は、上記の実施の形態に限定されないのはもちろんである。以下のような場合も本発明に含まれる。
【００９６】
（１）半導体部１２０は、図１３に示すように、さらに、第一回路１４１、切換部１４２、第二回路１４３、第三回路１４４を含むとしてもよい。また、論理部１３１に代えて、図１３に示す第一回路１４１、切換部１４２、第二回路１４３、第三回路１４４を含むとしてもよい。また、論理部１３１の内部に、図１３に示す第一回路１４１、切換部１４２、第二回路１４３、第三回路１４４を含むとしてもよい。
【００９７】
切換部１４２は、第一記憶部１２６から第一モードを読み出し、読み出した第一モードがＨである場合には、第一回路１４１と第二回路１４３とを接続し、第一回路１４１と第三回路１４４とを切り離す。読み出した第一モードがＬである場合には、第一回路１４１と第二回路１４３とを切り離し、第一回路１４１と第三回路１４４とを接続する。
【００９８】
（ａ）第１の例として、半導体部１２０は、デジタルカメラに搭載されるものとする。第二回路１４３は、通常時の信号を出力する通常動作時用回路であって、例えば、デジタルカメラの撮像処理部であり、デジタルカメラによる撮影により生成された映像信号を出力する。第三回路１４４は、テスト用の信号を出力するテスト用回路であって、例えば、予め定められたいくつかのパターンのテスト用の映像信号を出力する。第一回路１４１は、第二回路１４３又は第三回路１４４に接続され、第二回路１４３又は第三回路１４４から映像信号を受け取り、受け取った映像信号から圧縮された映像データを生成する。このように、第一モードがＨである場合、半導体部１２０は、通常のデジタルカメラの回路部として動作し、第一モードがＬである場合、半導体部１２０は、第一回路１４１のテストのために動作する。
【００９９】
（ｂ）第２の例として、半導体部１２０は、記録媒体に記録されているコンテンツを再生するコンテンツ再生装置に搭載されるものとする。記録媒体は、第１暗号方式による暗号化コンテンツを記録しており、コンテンツ再生装置は、暗号化コンテンツを復号して復号コンテンツを再生する。第一回路１４１は、記録媒体から暗号化コンテンツを読み出す。第二回路１４３は、第１暗号化方式により暗号化コンテンツを復号する。第三回路１４４は、第２暗号化方式により暗号化コンテンツを復号する。当初、第一記憶部１２６にＨが記憶され、第一回路１４１と第二回路１４３とが接続されている。コンテンツ再生装置が販売された後、不正者により第１暗号化方式が解読されてしまったとする。その後、新たな記録媒体には、第２暗号化方式により暗号化されたコンテンツが記録されて販売される。半導体部１２０には、新たな伝播部が貼り付けられ、新たなコンテンツ再生装置が製造されて販売され、第一記憶部１２６には、Ｌが記憶される。この場合に、第一回路１４１と第三回路１４４とが接続され、新たな記録媒体に記憶された暗号化コンテンツは、第２暗号化方式により復号されて再生される。
【０１００】
（ｃ）第３の例として、第一回路１４１は、ＦＰＧＡ（Field Programmable Gate 
Array）であり、第二回路１４３は、メモリ回路であり、ＦＰＧＡにおいて、第１の処理
回路を構成するための構成データを記憶しており、第三回路１４４も、メモリ回路であり、ＦＰＧＡにおいて、第２の処理回路を構成するための構成データを記憶しているとしてもよい。第一記憶部１２６に記憶されている第一モードがＨである場合には、ＦＰＧＡである第一回路１４１は、メモリ回路である第二回路１４３から構成データを読み出し、読み出した構成データを用いて、ＦＰＧＡに第１の処理回路を構成する。第一記憶部１２６に記憶されている第一モードがＬである場合には、ＦＰＧＡである第一回路１４１は、メモリ回路である第三回路１４４から構成データを読み出し、読み出した構成データを用いて、ＦＰＧＡに第２の処理回路を構成する。
【０１０１】
（２）上記の各実施の形態において、半導体装置に含まれる論理部は、一例として、デジタルカメラにより撮影された撮影画像を処理する撮影処理回路である。図４に示す各構成部を含む半導体部は、ひとつのシリコンデバイスで形成される大規模集積回路（ＬＳＩ
）であるとしても良い。
【０１０２】
（３）上記において、生成部１２５ａは、Ｈ又はＬを示す送信データを生成するとしている。しかし、これには限定されない。
【０１０３】
生成部１２５ａは、Ｈを示す送信データのみを生成し、この送信データを送信部１２３ａへ出力するとしてもよい。第一記憶部１２６に記憶されている第一モードは、初期値として、Ｌである。受信部１２４ａが、第３のパターンにより変化する電気信号を受信すると、第一モードとして、Ｈを第一記憶部１２６へ出力する。第一記憶部１２６は、第一モードとして、Ｈを記憶する。
【０１０４】
また、生成部１２５ａは、さらに多くの種類の送信データを生成するとしてもよい。例えば、−１０ｖ、−５ｖ、５ｖ、１０ｖの４種類を示す送信データを生成するとしてもよい。送信部１２３ａは、生成部１２５ａから送信データを受け取り、送信データに基づいて、４種類の電気信号を生成する。この４種類の電気信号は、それぞれ、上述したような三角波であり、その頂点の電位は、それぞれ、−１０ｖ、−５ｖ、５ｖ、１０ｖである。受信部１２４ａが、上記の４種類の電気信号に応じた電気信号を受信すると、４種類の電気信号を識別し、識別した電気信号に対応する４種類のモード情報のいずれかを、第一モードとして、第一記憶部１２６へ出力する。第一記憶部１２６は、４種類のモード情報の何れかを示す第一モードを記憶する。入出力部１３０は、第一記憶部１２６に記憶されている第一モードにより、４種類の動作を使い分ける。
【０１０５】
（４）上記の実施の形態においては、半導体部１２０には、６組の生成部、送信部及び送信アンテナと、３組の受信部及び受信アンテナとが形成されているが、これには限定されない。
【０１０６】
６組未満の組の生成部、送信部及び送信アンテナを備えてもよいし、７組以上の組の生成部、送信部及び送信アンテナを備えてもよい。
【０１０７】
また、３組未満の組の受信部及び受信アンテナを備えてもよいし、７組以上の組の受信部及び受信アンテナを備えてもよい。ここで、モードの数は、受信部及び受信アンテナの組の数に合わせて、増減させる。
【０１０８】
（５）上記の実施の形態において、第一記憶部１２６、第二記憶部１２７及び第三記憶部１２８には、それぞれ、第一モード、第二モード及び第三モードが記憶されているとしているが、これには限定されない。
【０１０９】
半導体部１２０は、第一記憶部１２６、第二記憶部１２７及び第三記憶部１２８に代えて、モード記憶部を備え、モード記憶部は、第一モード、第二モード及び第三モードを記憶してもよい。
【０１１０】
（６）上記の実施の形態において、半導体部１２０は、生成部１２５ａ、１２５ｂ、１２５ｃ、１２５ｄ、１２５ｅ及び１２５ｆを備えるとしているが、これには限定されない。
【０１１１】
半導体部１２０は、生成部１２５ａ、１２５ｂ、１２５ｃ、１２５ｄ、１２５ｅ及び１２５ｆに代えて、一つの生成部のみを備え、この生成部は、同一の送信データ及び送信クロック信号を、それぞれ、送信部１２３ａ、１２３ｂ、１２３ｃ、１２３ｄ、１２３ｅ及び１２３ｆへ送信するとしてもよい。
【０１１２】
また、半導体部１２０は、生成部１２５ａ、１２５ｂ、１２５ｃ、１２５ｄ、１２５ｅ及び１２５ｆに代えて、第１及び第２の生成部のみを備え、第１の生成部は、第１の送信
データ及び送信クロック信号を、それぞれ、送信部１２３ａ、１２３ｂ及び１２３ｃへ送信し、第２の生成部は、第２の送信データ及び送信クロック信号を、それぞれ、送信部１２３ｄ、１２３ｅ及び１２３ｆへ送信するとしてもよい。ここで、第１の送信データは、Ｈを示し、第２の送信データは、Ｌを示す。なお、逆に、第１の送信データは、Ｌを示し、第２の送信データは、Ｈを示すとしてもよい。
【０１１３】
さらに、半導体部１２０は、生成部１２５ａ、１２５ｂ、１２５ｃ、１２５ｄ、１２５ｅ及び１２５ｆに代えて、一つの生成部のみを備え、この生成部は、第１の送信データ及び送信クロック信号を、それぞれ、送信部１２３ａ、１２３ｂ及び１２３ｃへ送信し、また、第２の送信データ及び送信クロック信号を、それぞれ、送信部１２３ｄ、１２３ｅ及び１２３ｆへ送信するとしてもよい。ここで、第１の送信データは、Ｈを示し、第２の送信データは、Ｌを示す。なお、逆に、第１の送信データは、Ｌを示し、第２の送信データは、Ｈを示すとしてもよい。
【０１１４】
（７）上記の各実施の形態に示す半導体装置は、デジタルスチールカメラ、デジタル動画カメラ、携帯電話、ＤＶＤやＢＤなどの記録媒体に記憶されたコンテンツの再生装置、デジタル放送受信装置、デジタルコンテンツ記録装置（ビデオレコーダ）、映像表示装置（デジタルテレビ）、パーソナルコンピュータなどにおいて、用いられるとしてもよい。
【０１１５】
（８）上記の実施の形態において、伝播部１０１ａ上には、３個の導体部が貼り付けられ、伝播部１０１ｂ上及び伝播部１０１ｃ上には、それぞれ、２個の導体部が貼り付けられている。しかし、これには限定されない。
【０１１６】
伝播部上には、１個の導体部が貼り付けられているとしてもよいし、４個以上の導体部が貼り付けられているとしてもよい。
【０１１７】
（９）上記実施の形態及び上記変形例をそれぞれ組み合わせるとしてもよい。
【０１１８】
４．以上説明したように、本発明は、半導体装置であって、送信回路、受信回路、前記送信回路に接続された第１アンテナ及び前記受信回路に接続された第２アンテナを備える半導体部と、前記第１アンテナ及び前記第２アンテナに近接して設けられた導体部とを備え、前記送信回路及び前記受信回路の間で近接無線通信を用いることを特徴とする。
【０１１９】
この構成によると、半導体装置の端子数を増やすことなく、内部の動作モードの設定変更をすることができるという優れた効果を奏する。
【０１２０】
ここで、前記第１アンテナ及び前記第２アンテナは、コイル状の金属配線であり、前記第１アンテナと前記第２アンテナとは、前記導体部を介して、電磁誘導により結合されるとしてもよい。
【０１２１】
ここで、前記導体部を備えるシートが前記半導体部表面に貼設されているとしてもよい。
【０１２２】
ここで、前記半導体部は、回路基板上に設けられ、前記第１アンテナ及び前記第２アンテナに近接するように、前記導体部が前記回路基板上に設けられているとしてもよい。
【０１２３】
ここで、前記送信回路は、第１電位から第２電位に変化する第１電気信号を前記第１アンテナへ出力し、前記受信回路は、変化する第２電気信号を検出し、前記半導体部は、さらに、前記受信回路により検出した前記第２電気信号により、動作モードを切り換えて動作する回路部を備えるとしてもよい。
【０１２４】
また、本発明は、送信回路、受信回路、前記送信回路に接続された第１アンテナ及び前記受信回路に接続された第２アンテナを備える半導体部に近接して設けられる信号伝播板であって、前記第１アンテナ及び前記第２アンテナに近接して設けられた導体部を備え、前記送信回路及び前記受信回路の間で近接無線通信を用いることを特徴とする。
【産業上の利用可能性】
【０１２５】
本発明にかかる近接無線通信を用いた半導体装置は、半導体装置の端子数を増やすこと
なく、内部の動作モードの設定変更をすることができ、半導体装置において、動作モードなどを設定する等の用途に適用できる。特に、同一の半導体装置を、多品種（例えば、デジタルテレビ、ビデオレコーダ、携帯電話など）において用いる場合において有用である。
【符号の説明】
【０１２６】
１０ａ、１０ｂ、１０ｃ、１０ｄ  回路基板
１００ａ、１００ｂ、１００ｃ、１００ｄ  半導体装置
１０１ａ、１０１ｂ、１０１ｃ、１０１ｄ  伝播部
１１１ａ、１１１ｂ、１１１ｃ、１１１ｄ  導体部
１１１ｅ、１１１ｆ、１１１ｇ  導体部
１２０、１２０ｄ  半導体部
１２１ａ、１２１ｂ、１２１ｃ、１２１ｄ、１２１ｅ、１２１ｆ  送信アンテナ
１２２ａ、１２２ｂ、１２２ｃ  受信アンテナ
１２３ａ、１２３ｂ、１２３ｃ、１２３ｄ、１２３ｅ、１２３ｆ  送信部
１２４ａ、１２４ｂ、１２４ｃ  受信部
１２５ａ、１２５ｂ、１２５ｃ、１２５ｄ、１２５ｅ、１２５ｆ  生成部
１２６    第一記憶部
１２７    第二記憶部
１２８    第三記憶部
１３０    入出力部
１３１    論理部
１５０、１５０ｄ  パッケージ部
【図１】
2012049821.tif 000003
【図２】
2012049821.tif 000004
【図３】
2012049821.tif 000005
【図４】
2012049821.tif 000006
【図５】
2012049821.tif 000007
【図６】
2012049821.tif 000008
【図７】
2012049821.tif 000009
【図８】
2012049821.tif 000010
【図９】
2012049821.tif 000011
【図１０】
2012049821.tif 000012
【図１１】
2012049821.tif 000013
【図１２】
2012049821.tif 000014
【図１３】
2012049821.tif 000015
【国際調査報告】
2012049821.tif 000016
2012049821.tif 000017
2012049821.tif 000018
2012049821.tif 000019